(57)【要約】【課題】エアコン吹き出し部を利用してモニターを確実に固定でき、エアコン吹き出し部を塞ぐことなく良好な位置に配置できるモニター取り付け構造を提供する。【解決手段】車室内のコンソールボックス１にモニター３０を配置するモニター取り付け構造であって、この車室内に配置するモニター３０と、コンソールボックス１の両側に各々一対に延在して一端をエアコン吹き出し部２に固定して他端をコンソールボックス１の底部に取り付けたパイプ１０と、このパイプ１０が一対に延在する間に介在して両端を連結して支持するとともに中央部にモニター３０を固定する固定部２２を有した基台２０とを設ける。【選択図】　　　図１
2004050872.tif 000002
【特許請求の範囲】
【請求項１】
車室内のコンソールボックス（センターコンソール）にモニターを配置するモニター取り付け構造において、
前記車室内に配置するモニターと、
前記コンソールボックスの両側に各々一対に延在して一端をエアコン吹き出し部に固定し、他端を前記コンソールボックスの底部に取り付けたパイプと、
前記パイプが一対に延在する間に介在して両端を連結して支持するとともに中央部に前記モニターを固定する固定部を有した基台とを設けたことを特徴とするモニター取り付け構造。
【請求項２】
請求項１に記載のモニター取り付け構造において、
前記パイプは、前記コンソールボックスの前記エアコン吹き出し部から底部までの高さに合わせて伸縮可能な伸縮部を設けたことを特徴とするモニター取り付け構造。
【請求項３】
請求項１または２に記載のモニター取り付け構造において、
前記基台は、前記コンソールボックスの両側に一対に配置する前記パイプ間の幅に合わせて伸縮可能に設けたことを特徴とするモニター取り付け構造。
【請求項４】
請求項１乃至３のいずれかに記載のモニター取り付け構造において、
前記パイプには、前記エアコン吹き出し部の筐体またはフィンに引っ掛けて係合する係合部と、このエアコン吹き出し部に当接して前記係合部を引き寄せることで前記筐体またはフィンを挟持するロック部とを設けたことを特徴とするモニター取り付け構造。
【請求項５】
請求項１乃至４のいずれかに記載のモニター取り付け構造において、
前記基台の固定部は、前記モニターを着脱可能にするとともに、このモニターを自由に所定の角度に首振り又は傾けて固定する自由継手部を設けたことを特徴とするモニター取り付け構造。
【請求項６】
請求項１乃至６のいずれかに記載のモニター取り付け構造において、
前記基台は、前記コンソールボックスの前面で前記パイプに沿って上下にスライド可能に支持し、所望の高さに固定できるように設けたことを特徴とするモニター取り付け構造。
【発明の詳細な説明】
【０００１】
【発明の属する技術分野】
本発明はモニター取り付け構造に関する。
【０００２】
【従来の技術】
従来、車室内にテレビ、カーナビゲーションなどのモニターを配置するモニター取り付け構造は、ダッシュボードの上にモニターの基台を両面テープで貼り付けて配置する方法が一般的であった。図１０は、このようなダッシュボードに両面テープで取り付ける従来のモニター取り付け構造の一実施形態を示す図である。図１０に示すように、従来のモニター取り付け構造の一実施形態は、車室内に配置するモニター６０と、このモニター６０に取り付けた基台６２とを備え、この基台６２を車室内のダッシュボード６に両面テープで貼り付けることでモニター６０を所望の位置に配置していた。
【０００３】
しかし、このような従来のモニター取り付け構造の一実施形態では、温度変化により両面テープの固定力が低下する恐れがある上、着脱が困難であり取り外し後、接着剤がダッシュボード側に残るとともに、運転者の視界の妨げになるという不具合があった。
【０００４】
そこで、従来のモニター取り付け構造には、エアコンの吹き出し部にモニターを取り付けて配置する他の実施形態がある。このような従来技術としては、例えば、特開平８−２７６７９３号公報などに開示されている。図１１は、このようにモニターをエアコンの吹き出し部に取り付ける従来のモニター取り付け構造の他の実施形態を示す図である。また、図１２は、図１１に示したクリップ９０を詳細に示す外観図である。
【０００５】
図１１に示すように、従来のモニター取り付け構造の他の実施形態は、車室内に配置するモニター７０と、このモニター７０を取り付ける基台８０と、基台８０に有したクリップ９０とにより構成されている。また、クリップ９０は、図１２に示すように、お互いに重なるように付勢した板ばねＡ部９２及び板ばねＢ部９４と、この板ばねＡ部９２及び板ばねＢ部９４の開閉操作を行うレバー９６とを備えている。そして、モニター７０は、基台８０に設けたクリップ９０の板ばねＡ部９２及び板ばねＢ部９４によりエアコン吹き出し部２のフィン２ａを挟持（図１１参照）し、コンソールボックス（センターコンソール）１に基台８０を当接させてエアコン吹き出し部２の前面に配置する。また、モニター７０は、自由継手部７２を介して基台８０に支持されており、傾き角度及び首振り角度を自由に変化させて最適ポジションで楽しむことができる。よって、モニター７０は、クリップ９０により着脱が容易になり温度変化でも外れることなく、運転者の視界を妨げることがなくなる。
【０００６】
このように、従来のモニター取り付け構造は、車室内のエアコン吹き出し部２にクリップ９０を用いてモニター７０を固定するため、温度変化に係わらず確実に固定でき着脱も容易になるとともに、モニター７０をエアコン吹き出し部２の前面に配置して運転者の視界の妨げになることを防止していた。
【０００７】
【発明が解決しようとする課題】
しかしながら、従来のモニター取り付け構造では、車室内のエアコン吹き出し部２の前面にモニター７０が配置されるため、このエアコン吹き出し部２を塞いで送風する空気が効率良く車室内に循環しないという不具合があった。
また、従来のモニター取り付け構造では、クリップ９０の板ばねＡ部９２と板ばねＢ部９４とによりエアコン吹き出し部２のフィン２ａを挟持するため、この挟持する付勢力以上の大きな負荷が加わると外れて落下し、モニター７０が破損する恐れがあるという不具合があった。
本発明はこのような課題を解決し、エアコン吹き出し部を利用してモニターを確実に固定でき、エアコン吹き出し部を塞ぐことなく良好な位置に装着できるモニター取り付け構造を提供することを目的とする。
【０００８】
【課題を解決するための手段】
本発明は上述の課題を解決するために、車室内のコンソールボックスにモニターを配置するモニター取り付け構造であって、この車室内に配置するモニターと、コンソールボックスの両側に各々一対に延在して一端をエアコン吹き出し部に固定して他端をコンソールボックスの底部に取り付けたパイプと、このパイプが一対に延在する間に介在して両端を連結して支持するとともに中央部にモニターを固定する固定部を有した基台とを設ける。
【０００９】
ここで、パイプは、コンソールボックスのエアコン吹き出し部から底部までの高さに合わせて伸縮可能な伸縮部を設けることが好ましい。また、基台は、コンソールボックスの両側に一対に配置するパイプ間の幅に合わせて伸縮可能に設けることが好ましい。また、パイプには、エアコン吹き出し部の筐体またはフィンに引っ掛けて係合する係合部と、エアコン吹き出し部に当接して係合部を引き寄せることで筐体またはフィンを挟持するロック部とを設けることが好ましい。また、基台の固定部は、モニターを着脱可能にするとともに、このモニターを自由に所定の角度に首振り又は傾けて固定する自由継手部を設けることが好ましい。また、基台は、コンソールボックスの前面でパイプに沿って上下にスライド可能に支持し、所望の高さに固定できるように設けることが好ましい。
【００１０】
【発明の実施の形態】
次に、添付図面を参照して本発明によるモニター取り付け構造の実施の形態を詳細に説明する。図１は、本発明によるモニター取り付け構造の実施形態を示す構成図である。また、図２は、図１に示した基台２０の詳細な構造を示す図である。また、図３は、図２に示した基台の他の実施例を示す図である。また、図４は、図１に示したパイプ１０の伸縮部１４を示す図である。また、図５は、図１に示した取り付け手段４０の詳細を示す図である。また、図６は、図５に示したＡ−Ａ線の断面を示す図である。また、図７は、図１に示したパイプ１０の一端をエアコン吹き出し部２に設置する動作を示す図であり、図７（ａ）は設置前の状態を、図７（ｂ）は設置後の状態を各々示している。また、図８は、図７に示したパイプ１０の一端をエアコン吹き出し部２に固定する動作を示す図であり、図８（ａ）は固定前の状態を、図８（ｂ）は固定後の状態を各々示している。また、図９は、図７に示したエアコン吹き出し部の他の実施例にパイプ１０を装着する動作を示す図であり、図９（ａ）は装着する前の状態を、図９（ｂ）は装着後の状態を各々示している。
【００１１】
図１に示すように、本発明によるモニター取り付け構造の実施形態は、車室内に配置するモニター３０と、この車室内のコンソールボックス（センターコンソール）１両側に各々一対に延在して一端をエアコン吹き出し部２に固定して他端をコンソールボックス１の底部に取り付けたパイプ１０と、このパイプ１０が一対に延在する間に介在して両端を連結して支持するとともに中央部にモニター３０を固定する固定部２２を設けた基台２０とを備えている。従って、本実施の形態は、エアコン吹き出し部２に直接モニターの基台を取り付けるのではなく、エアコン吹き出し部２に固定したパイプ１０を介して基台２０を取り付けることでモニター３０を配置する構造に形成している。
【００１２】
ここで、基台２０は、図２に示すように、モニター３０を装着する固定部２２と、この固定部２２を支持して自由に所望の角度に回動可能にする自由継手部２３と、この自由継手部２３を両側のパイプ１０に固定する延在部２４とにより構成されている。この際、固定部２２は、平板状でモニター３０の裏面に設けたレール３２（図１参照）に嵌入して図２に示したノブ２１ａを締結することで挟持し、モニター３０を固定している。また、自由継手部２３は、固定部２２から延在する球状の端部（図示せず）を覆って支持しており、この球状の端部により固定部２２を回動させて所望の角度に首振り又は傾けられるように形成している。そして、自由継手部２３は、外側からビス２１ｂを締結して前述した球状の端部に当接させることで固定部２２を所望の角度に固定できる。また、延在部２４は、固定部２２及び自由継手部２３を帯状に延在した中央部に支持するとともに、この帯状の両端をパイプ１０にビス１１ａ止めして固定している。この時、延在部２４は、エアコン吹き出し部２から一対に延在するパイプ１０の間に介在し、このパイプ１０間の幅に合わせて両端の長さを伸縮可能な構造（図示せず）に形成している。従って、基台２０は、エアコン吹き出し部２の形状によって取り付け位置が変わる一対のパイプ１０間の幅に応じて、延在部２４の両端の長さを伸縮させて取り付ける構造に形成している。
【００１３】
ここで、基台２０は、延在部２４の両端をパイプ１０にビス１１ａ止めして固定する実施例を説明したが、これに限定されるものではなく、例えば、パイプ１０にスライド可能に支持することも可能である。このパイプにスライド可能に支持する基台の他の実施例は、図３に示すように、延在部５４の両端に円筒状のスライド部５５を設け、このスライド部５５をパイプ１０に挿入して上下にスライド可能に支持している。この基台５０は、円筒状のスライド部５５にビス５１ａを締結することで、このビス５１ａがスライド部５５内でパイプ１０に当接して所定の高さに固定できるように形成している。従って、この基台５０の他の実施例によると、図１に示したコンソールボックス１に配置したオーディオ機器にＣＤ、ＭＤなどの記録媒体（図示せず）を挿入する際、モニター３０が邪魔にならないように上下動させて移動させることができる。
【００１４】
また、パイプ１０は、コンソールボックス１のエアコン吹き出し部２から底部まで延在する高さに合わせて伸縮可能な伸縮部１４を設けている。このパイプ１０の伸縮部１４は、図４に示すように、円筒状のパイプＡ１２及びこのパイプＡ１２より少し太い径のパイプＢ１３により構成し、このパイプＢ１３にパイプＡ１２を挿し込んで伸縮可能にするとともに、パイプＢ１３の先端でビス１１ｂを締め付けることでパイプＡ１２をつぶし固定する構造に形成している。従って、本実施の形態は、基台２０、５０の延在部２４、５４及びパイプ１０の伸縮部１４が各々自由に伸縮する構造に形成しているため、車種毎に形状が異なるほぼ全てのコンソールボックス１に対応して装着でき、この延在部２４、５４及び伸縮部１４の伸縮により容易に取り付けることが可能になる
【００１５】
また、パイプ１０は、図１に示したように、エアコン吹き出し部２に一端を支持し、他端をコンソールボックス１の底部に取り付けて固定している。この際、コンソールボックス１には、シフトレバー両脇の下端にパイプ１０を延在させて取り付けるための取り付け手段４０を設けている。この取り付け手段４０は、図５に示すように、薄板状に延在して一端をＵ字型に屈曲させたＵ字板４４と、このＵ字板４４によりコンソールボックス１とともに固定してパイプ１０の一端を取り付ける固定板４２とを備えている。ここで、固定板４２は、図６に示すように、パイプ１０の一端を固定する固定部４２ａと、この固定部４２ａを自由に所望の角度に回動可能に支持する自由継手部４２ｂと、この自由継手部４２ｂを取り付ける薄板状の支持板４２ｃとを各々備えている。この自由継手部４２ｂは、固定部４２ａの延在する球状の端部を覆って支持することで、固定部４２ａを回動させて所望の角度に首振り又は傾けられるように形成している。また、自由継手部４２ｂ内には、スプリングなどの弾性体４２ｄを収納して固定部４２ａの球状の端部を付勢することで、固定部４２ａが振動などによりガタ付くことを抑えている。
【００１６】
そして、この取り付け手段４０は、図５及び図６に示したように、コンソールボックス１の底部から薄板状に延在するＵ字板４４の片側を内部に挟み込み、他方側をコンソールボックス１から略Ｕ字状に突出させて固定板４２を挿し込んで固定する。この際、コンソールボックス１の外側に露出するＵ字板４４にビス４１ａを締め付けることで、固定板４２及びＵ字板４４がコンソールボックス１に固定する。その後、取り付け手段４０には、コンソールボックス１の両側に延在するパイプ１０の下端を固定板４２の回動する固定部４２ａにビス４１ｂ止めして固定する。ここで、パイプ１０は、コンソールボックス１の形状によって図６に示した点線のように傾く場合があるが、この傾いた傾斜に合わせて固定部４２ａが所定の角度に回動するため、無理なく容易に固定することができる。
【００１７】
一方、エアコン吹き出し部２に固定するパイプ１０の一端は、７（ａ）に示すように、エアコン吹き出し部２のフィン２ａに一端を引っ掛けて係合する係合部１５と、このエアコン吹き出し部２に当接して係合部１５を引き寄せることでフィン２ａを挟持するロック部１６とを設けている。ここで、エアコン吹き出し部２のフィン２ａは、格子状に水平及び垂直方向に複数配列して上下左右ともにフィン調整が可能に設けてあり、図７（ｂ）に示すように、この水平方向の一つに係合部１５を引っ掛けて取り付けている。ここで、ロック部１６は、８（ａ）に示すように、フィン２ａに係合した係合部１５の手前に設けられてエアコン吹き出し部２から所定の間隔を備えた位置に配置し、ビス１１ｃを薄板状の板部１６ａに締結してカバー１６ｂをエアコン吹き出し部２に突出させてロックする構造を備えている。これによりロック部１６は、８（ｂ）に示すように、カバー１６ｂがエアコン吹き出し部２に当接して押し圧を加えることで、係合部１５を引き寄せてフィン２ａをカバー１６ｂと係合部１５との間で挟持するように形成している。また、ロック部１６は、カバー１６ｂと板部１６ａとの間にスプリングなどの弾性体１６ｃを収納しており、ビス１１ｃの締結を外すことでカバー１４ｂが図８（ａ）に示した状態に戻るように形成している。
【００１８】
ところで、エアコン吹き出し部は、最も多く用いられている形状として、図７に示したフィン２ａを水平及び垂直方向に複数配列させた構造と、これとは異なる他の実施例とがある。このエアコン吹き出し部の他の実施例は、図９（ａ）に示すように、筐体３ｂの所定面に送風穴を設けて内部に垂直方向に立設したフィン３ａを複数配列させて、左右方向のみのフィン調整を可能にしている。このエアコン吹き出し部３では、パイプ１０の係合部１５をフィン３ａに係合することができないため、図９（ａ）に示したように、筐体３ｂに係合部１５を直接取り付けて固定している。そして、パイプ１０のロック部１６は、図８に示した動作と同様に、ビス１１ｃを締結することでエアコン吹き出し部３（筐体３ｂ）に当接して押し圧を加え、係合部１５を引き寄せて筐体３ｂを挟持する。これによりパイプ１０は、図９（ｂ）に示すように、エアコン吹き出し部３を形成する筐体３ｂに係合して外れることなく確実に取り付けることができる。
【００１９】
このように、本発明によるモニター取り付け構造の実施形態によると、車室内のコンソールボックス１両側に一対のパイプ１０を設けて、このパイプ１０間の所定位置に基台２０を固定してモニター３０を取り付ける構造のため、このモニター３０がエアコン吹き出し部２を塞ぐことなく、送風する空気を効率良く車室内に循環することができる。
また、本発明によるモニター取り付け構造の実施形態によると、前述したように、エアコン吹き出し部２に取り付けたパイプ１０に基台２０を固定してモニター３０を支持する構造のため、コンソールボックス１の前面にモニター３０を確実に固定でき、大きな負荷が加わっても外れることなく、落下によるモニター３０の破損を確実に防止できる。
【００２０】
以上、本発明によるモニター取り付け構造の実施の形態を詳細に説明したが、本発明は前述した実施の形態に限定されるものではなく、その要旨を逸脱しない範囲で変更可能である。
例えば、基台にモニターのみを設置したモニター取り付け構造の実施形態を説明したが、これに限定されるものではなく、カップホルダー、携帯ラック、小物入れ等の部品も取り付けることもできる。
【００２１】
【発明の効果】
このように本発明によるモニター取り付け構造によれば、エアコン吹き出し部を利用してモニターを確実に固定できるとともに、エアコン吹き出し部をモニターが塞ぐことなく良好な位置に装着できる。
【図面の簡単な説明】
【図１】本発明によるモニター取り付け構造の実施形態を示す構成図。
【図２】図１に示した基台の詳細な構造を示す図。
【図３】図２に示した基台の他の実施例を示す図。
【図４】図１に示したパイプの伸縮部を示す図。
【図５】図１に示した取り付け手段の詳細を示す図。
【図６】図５に示したＡ−Ａ線の断面を示す図。
【図７】図１に示したパイプの一端をエアコン吹き出し部に設置する動作を示す図。
【図８】図７に示したパイプの一端をエアコン吹き出し部に固定する動作を示す図。
【図９】図７に示したエアコン吹き出し部の他の実施例にパイプを装着する動作を示す図。
【図１０】従来のモニター取り付け構造の一実施形態を示す図。
【図１１】従来のモニター取り付け構造の他の実施形態を示す図。
【図１２】図１１に示したクリップを詳細に示す外観図。
【符号の説明】
１　　コンソールボックス
２　　エアコン吹き出し部
２ａ　フィン
１０　　パイプ
１１　　ビス
１２　　パイプＡ
１３　　パイプＢ
１４　　伸縮部
１５　　係合部
１６　　ロック部
２０　　基台
２１ａ　ノブ
２１ｂ　ビス
２２　　固定部
２３　　自由継手部
２４　　延在部
３０　　モニター
３２　　レール
４０　　取り付け手段
４１　　ビス
４２　　固定板
４２ａ　固定部
４２ｂ　自由継手部
４２ｃ　支持板
４２ｄ　弾性体
４４　　Ｕ字板
【図１】
2004050872.tif 000003
【図２】
2004050872.tif 000004
【図３】
2004050872.tif 000005
【図４】
2004050872.tif 000006
【図５】
2004050872.tif 000007
【図６】
2004050872.tif 000008
【図７】
2004050872.tif 000009
【図８】
2004050872.tif 000010
【図９】
2004050872.tif 000011
【図１０】
2004050872.tif 000012
【図１１】
2004050872.tif 000013
【図１２】
2004050872.tif 000014